(57)【特許請求の範囲】
【請求項１】
少なくとも２箇所で建物側に支持される複数の大引ビームが設けられ、これら大引ビームと床スラブとの間に、大引ビームに対して交差状として補強ビームが設けられ、この補強ビームは、複数の大引ビームの上方間または下方間に連続的に延設されるとともに、吊り手段を介して床スラブ側に支持され、そして補強ビームは、吊り部材を介して大引ビーム側に連結され、大引ビームの上方に床板が配設されることを特徴とする建物の床装置。
【請求項２】
大引ビームと補強ビームとの連結が、大引ビームと床スラブとの間の空間でかつ大引ビームの下方の空間部分の上下いっぱいを利用して行われることを特徴とする請求項１記載の建物の床装置。
【請求項３】
大引ビームは、床スラブ側に吊り姿勢で受け止められていることを特徴とする請求項１または２記載の建物の床装置。
【請求項４】
大引ビームを床スラブ側に吊り姿勢で受け止めさせる吊り手段は、補強ビームの吊り位置を調整自在に構成されていることを特徴とする請求項３記載の建物の床装置。
【請求項５】
吊り手段は、補強ビーム側への連結位置と、床スラブ側による支持位置との間で、弾性変形可能な吊り姿勢に構成されていることを特徴とする請求項４記載の建物の床装置。
【請求項６】
大引ビームを床スラブ側に吊り姿勢で受け止めさせる吊り手段は、吊りワイヤーを介して補強ビームの受け止めを行うように構成されていることを特徴とする請求項３記載の建物の床装置。
【発明の詳細な説明】
【０００１】
【発明の属する技術分野】
本発明は、たとえば高層住宅やオフィスなどの建物において、床スラブに対して、空間を置いて上方に床板を配設して構成される建物の床装置に関するものである。
【０００２】
【従来の技術】
従来、この種の床装置としては、複数の大引ビームが、その両端のみが弾性緩衝体などを介して建物の側壁に支持され、かつ中間部が完全に浮いた状態で配設され、そして大引ビーム群上に、根太を介して床板を配設した構成が提供されている。このような構成の床装置によると、床板にかかる振動を吸収して遮音効果を期待できるとされている。
【０００３】
【発明が解決しようとする課題】
しかし、上記した従来の床装置によると、規模に基づく大引ビームの長さによっては強度不足になる恐れがある。
【０００４】
そこで本発明の請求項１記載の発明は、遮音効果を維持し得るものでありながら、構造ならびに操作を簡単にして強度補強を行える建物の床装置を提供することを目的としたものである。
【０００５】
【課題を解決するための手段】
前述した目的を達成するために、本発明の請求項１記載の建物の床装置は、少なくとも２箇所で建物側に支持される複数の大引ビームが設けられ、これら大引ビームと床スラブとの間に、大引ビームに対して交差状として補強ビームが設けられ、この補強ビームは、複数の大引ビームの上方間または下方間に連続的に延設されるとともに、吊り手段を介して床スラブ側に支持され、そして補強ビームは、吊り部材を介して大引ビーム側に連結され、大引ビームの上方に床板が配設されることを特徴としたものである。
【０００６】
したがって請求項１の発明によると、床板に掛かる振動を大引ビームにより吸収して遮音効果を期待し得、しかも複数の大引ビームを共通の補強ビームによって支持していることにより、大引ビームの強度を補強し得る。
【０００７】
また本発明の請求項２記載の建物の床装置は、上記した請求項１記載の構成において、大引ビームは、吊り部材を介して補強ビームで連結されていることを特徴としたものである。
【０００８】
また補強ビームを、吊り手段を介して床スラブ側で支持し得る。しかも大引ビームを、吊り部材を介して補強ビームに連結していることで、複数の大引ビームの上方間または下方間に対する補強ビームの連続的な延設を容易に行えるとともに、吊り部材の使用個数や使用サイズによって上下高さを調整することで、大引ビームと床スラブとの間に形成される空間の高さ変化に対処し得る。
【０００９】
そして本発明の請求項２記載の建物の床装置は、上記した請求項１記載の構成において、大引ビームと補強ビームとの連結が、大引ビームと床スラブとの間の空間でかつ大引ビームの下方の空間部分の上下いっぱいを利用して行われることを特徴としたものである。
【００１０】
したがって請求項２の発明によると、連結部分をコンパクトに形成し得るとともに、残りの空間部分を、たとえば収納用などに有効に利用し得る。
さらに本発明の請求項３記載の建物の床装置は、上記した請求項１または２記載の構成において、大引ビームは、床スラブ側に吊り姿勢で受け止められていることを特徴としたものである。
【００１１】
したがって請求項３の発明によると、大引ビーム側の荷重や振動を、上下方向に作用する吊り力によって、床スラブ側で受け止め得る。
しかも本発明の請求項４記載の建物の床装置は、上記した請求項３記載の構成において、大引ビームを床スラブ側に吊り姿勢で受け止めさせる吊り手段は、補強ビームの吊り位置を調整自在に構成されていることを特徴としたものである。
【００１２】
したがって請求項４の発明によると、大引ビームや床板などの配設、すなわち床装置側の構成（配設）を全て行ったのち、吊り手段による吊り位置を調整することで、補強ビームの高さ方向での最終調整を行える。
【００１３】
また本発明の請求項５記載の建物の床装置は、上記した請求項４記載の構成において、吊り手段は、補強ビーム側への連結位置と、床スラブ側による支持位置との間で、弾性変形可能な吊り姿勢に構成されていることを特徴としたものである。
【００１４】
したがって請求項５の発明によると、吊り手段の弾性変形、すなわち「しなり」によって、荷重支持をスムースに行える。
そして本発明の請求項６記載の建物の床装置は、上記した請求項３記載の構成において、大引ビームを床スラブ側に吊り姿勢で受け止めさせる吊り手段は、吊りワイヤーを介して補強ビームの受け止めを行うように構成されていることを特徴としたものである。
【００１５】
したがって請求項６の発明によると、大引ビームを、吊りワイヤーを使用した簡単な構成によって、床スラブ側に吊り姿勢で受け止め得ることになる。
【００１６】
【発明の実施の形態】
以下に、本発明における第１の実施の形態を、図１〜図５に基づいて説明する。
【００１７】
高層住宅（建物の一例）１は、階層を形成する床スラブ２や室区画の側壁３などからなり、床スラブ２と側壁３とからなる下位のコーナ部などには、梁部４が形成されている。そして、床スラブ２の上方には複数の大引ビーム５が平行して設けられ、これら大引ビーム５の両端が前記側壁３側に支持されている。
【００１８】
すなわち大引ビーム５は、中間の縦板部５ａと、この縦板部５ａの上下両端から左右の同方向でかつ上下に傾斜して伸びる傾斜板部５ｂと、これら傾斜板部５ｂの上下両端から左右の同方向で横方向に伸びる横板部５ｃと、これら横板部５ｃの端から相対向した側でかつ前記縦板部５ａに向かって伸びる短尺傾斜板部５ｄとからなり、以て型レール状に形成されている。
【００１９】
そして大引ビーム５の両端部でかつ上位の横板部５ｃには端部貫通孔６が形成されるとともに、少なくとも中央部（中間部）の１箇所（または複数箇所）でかつ縦板部５ａには、長さ方向で所定間隔を置いた２個を１組とした中間部貫通孔７が形成されている。
【００２０】
前記大引ビーム５の両端を側壁３に支持させるために、前記側壁３の内側面にはアングル状のビーム受け材１０が配設される。このビーム受け材１０は、その横板部が複数個の受け具１１上に防振部材（防振ゴム）１２を介して配設されるとともに、縦板部が防振シール部材（防振ゴム）１３を介して側壁３の内側面に当て付けられている。そして受け具１１は、側壁３にインサートされた連結具１４を介して側壁３に固定されている。なお、ビーム受け材１０の横板部における所定の複数箇所には連結用貫通孔１５が形成されている。
【００２１】
したがって、ビーム受け材１０の横板部に大引ビーム５における両端上位の横板部５ｃを下方から当接させ、そして連通された端部貫通孔６と連結用貫通孔１５との間を通して連結具（ボルト・ナットなど）１６を作用させることで、大引ビーム５の両端を側壁３に連結し得る。
【００２２】
前記大引ビーム５群と床スラブ２との間には、大引ビーム５に対して交差状として補強ビーム１７が設けられ、この補強ビーム１７は、複数の大引ビーム５の下方間に連続的に延設されるとともに大引ビーム５側に連結されている。ここで大引ビーム５は、吊り手段２０を介して床スラブ２側に吊り姿勢で受け止められるとともに、吊り部材３０を介して補強ビーム１７で連結されている。
【００２３】
すなわち補強ビーム１７は、アングル状の型レールからなり、そして横板部における所定の複数箇所には、吊り手段２０や吊り部材３０との連結用長孔１８が所定間隔置きに形成されている。
【００２４】
前記吊り手段２０は、補強ビーム１７の吊り位置を調整自在に構成されている。すなわち吊り手段２０の本体２１は、縦板部２１ａと、この縦板部２１ａの上下両端から左右の同方向でかつ横方向に伸びる上位横板部２１ｂ、ならびに下位横板部２１ｃとからなり、以てＣの字型レール状に形成されている。そして上位横板部２１ｂには貫通孔２２が形成され、また下位横板部２１ｃには幅方向の長孔２３が形成されている。
【００２５】
また、前記上位横板部２１ｂと前記補強ビーム１７の横板部との間にはターンバックル（吊り位置調整手段の一例）２５が設けられている。すなわち、ターンバックル２５は、回転操作体２６と、この回転操作体２６に螺合される上下一対の螺子体２７Ａ，２７Ｂとを有し、上位螺子体２７Ａが上位横板部２１ｂに形成された貫通孔２２に通されてナット体２８Ａにより連結されるとともに、下位螺子体２７Ｂが補強ビーム１７の横板部に形成された連結用長孔１８に通されてナット体２８Ｂにより連結されている。なお、本体２１は、下位横板部２１ｃに形成された長孔２３を介して、床スラブ２側からのアンカーボルト２９などにより幅方向に位置調整自在として固定されている。
【００２６】
したがって吊り手段２０は、下位螺子体２７Ｂやナット体２８Ｂなどを介して補強ビーム１７側に連結され、さらにアンカーボルト２９などを介して床スラブ２側に支持されている。そして吊り手段２０は、その本体２１がＣの字型レール状に形成されかつ上位横板部２１ｂと下位横板部２１ｃとが連結、支持されていることで、補強ビーム１７側への連結位置と、床スラブ２側による支持位置との間で、弾性変形可能な吊り姿勢に構成されている。
【００２７】
前記大引ビーム５と補強ビーム１７との吊り部材３０を介しての連結が、大引ビーム５と床スラブ２との間の空間でかつ大引ビーム５の下方の空間部分の上下いっぱいを利用して行われている。
【００２８】
すなわち吊り部材３０は、前記大引ビーム５の縦板部５ａに外側から当接自在な上位縦板部３０ａと、この上位縦板部３０ａの下端から下方に傾斜して伸びかつ大引ビーム５の下位の傾斜板部５ｂに外側から当接自在な傾斜板部３０ｂと、この傾斜板部３０ｂの下端から下方に伸びる下位縦板部３０ｃと、この下位縦板部３０ｃの下端から横方向に伸びかつ補強ビーム１７の横板部に上方から当接自在な横板部３０ｄとからなり、以て型材状に形成されている。
【００２９】
そして、上位縦板部３０ａにおける幅方向の２箇所（１箇所または複数箇所）には、それぞれ幅方向の長孔３１が形成されるとともに、横板部３０ｄにおける幅方向の２箇所（１箇所または複数箇所）には、それぞれ貫通孔３２が形成されている。
【００３０】
ここで長孔３１は、大引ビーム５の縦板部５ａに上位縦板部３０ａを外側から当接させたとき、縦板部５ａに形成した中間部貫通孔７に連通され、以て孔３１，７間を通して連結具（ボルト・ナットなど）３３を作用させることで、大引ビーム５に対して吊り部材３０は位置調整自在に連結される。また貫通孔３２は、前記補強ビーム１７の横板部に形成された連結用長孔１８に連通され、以て孔３２，１９間を通して連結具（ボルト・ナットなど）３４を作用させることで、吊り部材３０と補強ビーム１７とが位置調整自在に連結される。
【００３１】
前記大引ビーム５の上面間に亘っては複数の根太材４０が配設され、そして根太材４０群の上面間に亘って床板４１が載置され、以て大引ビーム５の上方に床板４１が配設される。これにより、床スラブ２の上面２ａと床板４１の下面４１ａとの間に収納スペース（空間）Ｓが形成されることになる。
【００３２】
なお、前記床板４１の適所には出し入れ口４２が設けられ、この出し入れ口４２は矩形筒枠体４３により形成されている。この出し入れ口４２は、蓋体４４によって開閉自在に構成され、その際に蓋体４４は、一側縁が蝶番４５を介して矩形筒枠体４３側に揺動自在に連結され、そして他端側は矩形筒枠体４３側に設けられたストッパー体（図示せず。）に当接自在に構成される。
【００３３】
以下に、上記した第１の実施の形態における作用を説明する。
床装置を構成するに、まず所定の複数箇所に大引ビーム５を配設する。これは、連結具１４を介して側壁３に固定した複数個の受け具１１の上に、防振部材１２を介してビーム受け材１０を配設したのち、このビーム受け材１０の横板部に大引ビーム５における両端上位の横板部５ｃを下方から当接させた状態で、端部貫通孔６と連結用貫通孔１５との間を通して連結具１６を作用させ、以て大引ビーム５の両端を側壁３に連結することによって行える。
【００３４】
そして、吊り手段２０を介して、１本（または複数本）補強ビーム１７を床スラブ２側に支持させる操作と、吊り部材３０を介して、大引ビーム５を補強ビーム１７側に連結させる操作とを、任意な順序によって行う。
【００３５】
すなわち、吊り手段２０を介しての支持操作は、まず本体２１を、長孔２３とアンカー２９とを介して床スラブ２側に固定させ、次いでターンバックル２５を、本体２１の上位横板部２１ｂと補強ビーム１７の横板部とに亘って組み込むことで行える。その際に、補強ビーム１７の連結用長孔１８に対する下位螺子体２７Ｂの位置ずれは、この連結用長孔１８を利用して、または長孔２３を介して本体２１を床スラブ２側に対して移動させることで調整し得る。
【００３６】
また吊り部材３０を介しての連結操作は、まず吊り部材３０の上位縦板部３０ａを、中間部貫通孔７と長孔３１とを介して連結具３３を作用させて、大引ビーム５の縦板部５ａに連結させ、次いで吊り部材３０の横板部３０ｄを、貫通孔３２と連結用長孔１８とを介して連結具３４を作用させて、補強ビーム１７の横板部に連結させることで行える。
【００３７】
その際に、連結用長孔１８に対する貫通孔３２の位置ずれは、長孔３１を介して、吊り部材３０を大引ビーム５側に対して移動させることで調整し得る。また、大引ビーム５に対する補強ビーム１７の上下（高さ）方向での位置ずれは、ターンバックル２５の回転操作体２６を回転操作して、下位螺子体２７Ｂの連結位置を昇降させることで調整し得る。
【００３８】
その後に、大引ビーム５の上面間に亘って複数の根太材４０を配設し、そして根太材４０群の上面間に亘って床板４１を載置することで、床スラブ２と床板４１との間に収納スペースＳを形成して、床装置を構成し得る。
【００３９】
なお、大引ビーム５や床板４１などの配設、すなわち床装置側の構成（配設）を全て行ったのち、ターンバックル２５の回転操作体２６を回転操作することで、高さ方向での最終調整を行え、その際に操作は、開放した出し入れ口４２から収納スペースＳ内に入ることで容易に行える。
【００４０】
このように構成した床装置によると、複数の大引ビーム５を、その両端を介して側壁３に支持させていることで、床板４１に掛かる振動を大引ビーム５により吸収して遮音効果を期待し得る。しかも大引ビーム５の中間を、吊り部材３０によって補強ビーム１７側で支持していることにより、大引ビーム５の強度を補強し得、以て補強構造を、大引ビーム５の規模に基づく長さに関係なく、操作を簡単にして採用し得る。
【００４１】
さらに、吊り手段２０の本体２１をＣの字型レール状に形成して、補強ビーム１７側への連結位置と、床スラブ２側による支持位置との間で、弾性変形可能な吊り姿勢に構成したことで、その弾性変形、すなわち「しなり」によって、荷重支持をスムースに行える。なお、蓋体４４を開閉動させることで、出し入れ口４２を通して、収納スペースＳに対し物品の出し入れを行える。
【００４２】
以下に、本発明の第２の実施の形態を、図６、図７に基づいて説明する。
第２の実施の形態において、吊り部材５０は、連結分離自在な２個（複数）の吊り体５１，５５からなり、これら吊り体５１，５５の使用個数によって上下高さを調整可能に構成されている。ここで上位の吊り体５１としては、前述した第１の実施の形態に使用した吊り部材３０と同じものが採用されている。
【００４３】
すなわち上位の吊り体５１は、前記大引ビーム５の縦板部５ａに外側から当接自在な上位縦板部５１ａと、この上位縦板部５１ａの下端から下方に傾斜して伸びかつ大引ビーム５の下位の傾斜板部５ｂに外側から当接自在な傾斜板部５１ｂと、この傾斜板部５１ｂの下端から下方に伸びる下位縦板部５１ｃと、この下位縦板部５１ｃの下端から横方向に伸びる横板部５１ｄとからなり、以て型材状に形成されている。
【００４４】
そして上位縦板部５１ａにおける幅方向の２箇所（１箇所または複数箇所）には、それぞれ幅方向の長孔５２が形成されるとともに、横板部５１ｄにおける幅方向の２箇所（１箇所または複数箇所）には、それぞれ貫通孔５３が形成されている。
【００４５】
ここで長孔５２は、大引ビーム５の縦板部５ａに上位縦板部５１ａを外側から当接させたとき、縦板部５ａに形成した中間部貫通孔７に連通され、以て孔５２，７間を通して連結具（ボルト・ナットなど）５４を作用させることで、大引ビーム５に対して吊り体５１は位置調整自在に連結される。
【００４６】
また下位の吊り体５５は、縦板部５５ａと、この縦板部５５ａの上端から横方向に伸びかつ上位の吊り体５１の横板部５１ｄに下方から当接自在な上位横板部５５ｂと、前記縦板部５５ａの下端から横方向に伸びかつ補強ビーム１７の横板部に上方から当接自在な下位横板部５５ｃとからなり、以て型材状に形成されている。
【００４７】
そして上位横板部５５ｂにおける幅方向の２箇所（１箇所または複数箇所）には、それぞれ貫通孔５６が形成されるとともに、下位横板部５５ｃにおける幅方向の２箇所（１箇所または複数箇所）には貫通孔５７が形成されている。
【００４８】
ここで貫通孔５６は、上位の吊り体５１の横板部５１ｄに上位横板部５５ｂを下方から当接させたとき、横板部５１ｄに形成した貫通孔５３に連通され、以て孔５６，５３間を通して連結具（ボルト・ナットなど）５８を作用させることで、上位の吊り体５１と下位の吊り体５５とが連結される。また貫通孔５７は、前記補強ビーム１７の横板部に形成された連結用長孔１８に連通され、以て孔５７，１９間を通して連結具（ボルト・ナットなど）５９を作用させることで、下位の吊り体５５と補強ビーム１７とが連結される。
【００４９】
この第２の実施の形態によると、収納スペースＳの高さ変化に対しては、吊り体５１，５５の使用個数の増減によって吊り部材５０の上下高さを調整することで、容易に対処し得る。
【００５０】
以下に、本発明の第３の実施の形態を、図８に基づいて説明する。
すなわち、大引ビーム５が、逆梁部４Ａの上面側にビーム受け材６０を介して支持されている。
【００５１】
この第３の実施の形態によると、収納スペースＳは、逆梁部４Ａの高さに相当することから、デッドスペースを利用して、各階の占有高さを高くすることなく形成し得る。
【００５２】
以下に、本発明の第４の実施の形態を、図９に基づいて説明する。
すなわち、側壁３の内側面に複数の受け具６２が設けられ、これら受け具６２間にビーム受け材６３が設けられている。そしてビーム受け材６６上に、大引ビーム５の端部が支持されている。
【００５３】
以下に、本発明の第５の実施の形態を、図１０に基づいて説明する。
すなわち、大引ビーム５の下面に吊り部材３６が連結され、この吊り部材３６は、大引ビーム５の下面に連結されるブラケット３７と、このブラケット３７から垂下される縦材３８などにより構成される。そして縦材３８の下端に補強ビーム１７が連結されている。また吊り手段６５は、縦材３８が挿入されかつ補強ビーム１７が位置される枠状体６６と、この枠状体６６の下面から垂設される脚体６７とからなり、この脚体６７が床スラブ２上に着地される。そして枠状体６６の上部と補強ビーム１７とが、吊りワイヤー６８により連結されている。
【００５４】
この第５の実施の形態によると、大引ビーム５は、吊りワイヤー６８を使用した簡単な構成によって、床スラブ２側に吊り姿勢で受け止められることになる。
以下に、本発明の第６の実施の形態を、図１１に基づいて説明する。この第６の実施の形態では、大引ビームの種々な形状を示している。
【００５５】
すなわち（ａ）に示す大引ビーム７０は、中間縦板部７０ａと、この中間縦板部７０ａの上下両端から左右の同方向でかつ上下に傾斜して伸びる傾斜板部７０ｂと、これら傾斜板部７０ｂの上下両端から上下に伸びる一側端縦板部７０ｃと、これら一側端縦板部７０ｃの上下両端から左右の同方向で横方向に伸びる横板部７０ｄと、これら横板部７０ｄの端から相対向した側に伸びかつ前記一側端縦板部７０ｃに平行状の他側端縦板部７０ｅと、これら他側端縦板部７０ｅの端から相対向した側でかつ前記中間縦板部７０ａに向かって伸びる短尺傾斜板部７０ｆとからなり、以て型レール状に形成されている。
【００５６】
また（ｂ）に示す大引ビーム７１は、左右方向で上下に傾斜する傾斜板部７１ａと、この傾斜板部７１ａの上下両端から左右の異方向に伸びる横板部７０ｂと、これら横板部７０ｂの端から相対向した側でかつ前記傾斜板部７１ａに向かって伸びる短尺傾斜板部７１ｃとからなり、以て型レール状に形成されている。
【００５７】
そして（ｃ）に示す大引ビーム７２は、縦板部７２ａと、この縦板部７２ａの上下両端から左右の異方向でかつ上下に傾斜して伸びる傾斜板部７２ｂと、これら傾斜板部７２ｂの上下両端から左右の異方向で横方向に伸びる横板部７２ｃと、これら横板部７２ｃの端から相対向した側でかつ前記縦板部７２ａに向かって伸びる短尺傾斜板部７２ｄとからなり、以て型レール状に形成されている。
【００５８】
さらに（ｄ）に示す大引ビーム７３は、左右一対の縦板部７３ａと、これら縦板部７３ａの上端間および下端間に位置される上下一対の横板部７３ｂとからなり、以て四角筒状に形成されている。
【００５９】
また（ｅ）に示す大引ビーム７４は、左右一対の縦板部７４ａと、これら縦板部７４ａの上下両端から左右の外方向でかつ上下に傾斜して伸びる傾斜板部７４ｂと、これら傾斜板部７４ｂの上端間および下端間に位置される上下一対の横板部７４ｃとからなり、以て筒型レール状に形成されている。
【００６０】
上記した第１〜第４の実施の形態のように、少なくとも２箇所で建物１側に支持される複数の大引ビーム５を設け、これら大引ビーム５と床スラブ２との間に、大引ビーム５に対して交差状として補強ビーム１７を設け、この補強ビーム１７を、複数の大引ビーム５の上方間または下方間に連続的に延設するとともに大引ビーム５側に連結し、大引ビーム５の上方に床板４１を配設した構成によると、床板４１に掛かる振動を大引ビーム５により吸収して遮音効果を期待し得、しかも複数の大引ビーム５を共通の補強ビーム１７によって支持していることにより、大引ビーム５の強度を補強し得、以て補強構造を、大引ビーム５の規模に基づく長さに関係なく、連結具による連結箇所の削減などにより、連結操作などを簡単にして採用し得る。
【００６１】
上記した第１、第２の実施の形態のように、大引ビーム５を、吊り部材３０を介して補強ビーム１７で連結した構成によると、複数の大引ビーム５の上方間または下方間に対する補強ビーム１７の連続的な延設を容易に行えるとともに、吊り部材３０の使用個数や使用サイズによって上下高さを調整することで、大引ビーム５と床スラブ２との間に形成される収納スペース（空間）Ｓの高さ変化に対して容易に対処し得る。
【００６２】
上記した第１、第２の実施の形態のように、大引ビーム５と補強ビーム１７との連結を、大引ビーム５と床スラブ２との間の空間でかつ大引ビーム５の下方の空間部分の上下いっぱいを利用して行う構成によると、連結部分をコンパクトに形成し得るとともに、残りの空間部分を、たとえば収納用などに有効に利用し得る。
【００６３】
上記した第１、第２の実施の形態のように、大引ビーム５を、床スラブ２側に吊り姿勢で受け止めさせた構成によると、大引ビーム５側の荷重や振動を、上下方向に作用する吊り力によって、床スラブ２側で確実に受け止め得る。
【００６４】
上記した第１、第２の実施の形態のように、大引ビーム５を床スラブ２側に吊り姿勢で受け止めさせる吊り手段２０は、補強ビーム１７の吊り位置を調整自在に構成されていることにより、大引ビーム５や床板４１などの配設、すなわち床装置側の構成（配設）を全て行ったのち、吊り手段２０による吊り位置を調整することで、補強ビーム１７の高さ方向での最終調整を行える。
【００６５】
上記した第１、第２の実施の形態のように、吊り手段２０を、補強ビーム１７側への連結位置と、床スラブ２側による支持位置との間で、弾性変形可能な吊り姿勢に構成したことにより、その弾性変形、すなわち「しなり」によって、荷重支持をスムースに行える。
【００６６】
上記した第１〜第４の実施の形態では、大引ビーム５の両端が建物側に支持された形式が示されているが、これは中間を含めて複数箇所が建物側に支持された形式などであってもよい。
【００６７】
上記した第１、第２の各実施の形態では、補強ビーム１７が複数の大引ビーム５の下方間に連続的に延設された形式が示されているが、これは補強ビーム１７が複数の大引ビーム５の上方間に連続的に延設された形式などであってもよい。
【００６９】
上記した第１、第２の実施の形態では、大引ビーム５と補強ビーム１７との連結が、大引ビーム５と床スラブ２との間の空間でかつ大引ビーム１７の下方の空間部分の上下いっぱいを利用して行われる形式が示されているが、これは残りの空間部分を利用して連結が行われる形式などであってもよい。
【００７１】
上記した第１、第２の実施の形態では、大引ビーム５を床スラブ２側に吊り姿勢で受け止めさせる吊り手段２０が、補強ビーム１７の吊り位置を調整自在に構成された形式が示されているが、これは調整できない固定式の吊り手段を採用した形式などであってもよい。
【００７２】
上記した第１、第２の実施の形態では、吊り手段２０が、補強ビーム１７側への連結位置と、床スラブ２側による支持位置との間で、弾性変形可能な吊り姿勢に構成された形式が示されているが、これは弾性変形しない固定状の吊り手段を採用した形式などであってもよい。
【００７３】
上記した各実施の形態では、各部の連結具としてボルトナット形式が示されているが、これは場所によってはリベット形式などであってもよい。
上記した第４の実施の形態では、床スラブ２の上面２ａと床板４１の下面４１ａとの間に、逆梁部４Ａの高さに相当する収納スペースＳが形成されているが、これは、たとえば第１〜第３の実施の形態のように逆梁でない建物においては、収納スペースが形成されない構成であってもよい。
【００７４】
上記した第１〜第３の実施の形態では、側壁３間で大引ビーム５の支持を行う形式が示されているが、これは側壁３と逆梁部４Ａとの間で大引ビーム５の支持を行う形式、逆梁部４Ａ間で大引ビーム５の支持を行う形式などであってもよい。
【００７５】
上記した第１〜第３の実施の形態では、収納スペースＳ内に物品を収納可能な形式が示されているが、これは収納スペースＳ内、すなわち空間を利用して配管や配線を行う形式などであってもよい。
【００７６】
【発明の効果】
上記した本発明の請求項１によると、床板に掛かる振動を大引ビームにより吸収して遮音効果を期待でき、しかも複数の大引ビームを共通の補強ビームによって支持していることにより、大引ビームの強度を補強でき、以て補強構造を、大引ビームの規模に基づく長さに関係なく、連結操作などを簡単にして採用できる。
【００７７】
また補強ビームは、吊り手段を介して床スラブ側で支持できる。しかも大引ビームを、吊り部材を介して補強ビームに連結していることで、複数の大引ビームの上方間または下方間に対する補強ビームの連続的な延設を容易に行うことができるとともに、吊り部材の使用個数や使用サイズによって上下高さを調整することで、大引ビームと床スラブとの間に形成される空間の高さ変化に容易に対処できる。
【００７８】
そして上記した本発明の請求項２によると、連結部分をコンパクトに形成できるとともに、残りの空間部分を、たとえば収納用などに有効に利用できる。
さらに上記した本発明の請求項３によると、大引ビーム側の荷重や振動を、上下方向に作用する吊り力によって、床スラブ側で確実に受け止めることができる。
【００７９】
しかも上記した本発明の請求項４によると、大引ビームや床板などの配設、すなわち床装置側の構成（配設）を全て行ったのち、吊り手段による吊り位置を調整することで、補強ビームの高さ方向での最終調整を行うことができる。
【００８０】
また上記した本発明の請求項５によると、吊り手段の弾性変形、すなわち「しなり」によって、荷重支持をスムースに行うことができる。
そして上記した本発明の請求項６によると、大引ビームを、吊りワイヤーを使用した簡単な構成によって、床スラブ側に吊り姿勢で受け止めることができる。
【図面の簡単な説明】
【図１】本発明の第１の実施の形態を示し、建物の床装置における要部の一部切り欠き斜視図である。
【図２】同建物の床装置における縦断側面図である。
【図３】同建物の床装置における要部の一部切り欠き正面図である。
【図４】同建物の床装置における大引ビーム支持部分の縦断側面図である。
【図５】同建物の床装置における大引ビーム支持部分の縦断正面図である。
【図６】本発明の第２の実施の形態を示し、建物の床装置における要部の一部切り欠き正面図である。
【図７】同建物の床装置における要部の一部切り欠き側面図である。
【図８】本発明の第３の実施の形態を示し、建物の床装置における大引ビーム支持部分の概略側面図である。
【図９】本発明の第４の実施の形態を示し、建物の床装置における大引ビーム支持部分の概略側面図である。
【図１０】本発明の第５の実施の形態を示し、建物の床装置における大引ビーム支持部分の縦断側面図である。
【図１１】本発明の第６の実施の形態を示し、建物の床装置における大引ビームの種々な形状の正面図である。
【符号の説明】
１    高層住宅（建物）
２    床スラブ
２ａ  上面
３    側壁
４    梁部
５    大引ビーム
６    端部貫通孔
７    中間部貫通孔
１０    ビーム受け材
１１    受け具
１７    補強ビーム
１８    連結用長孔
２０    吊り手段
２１    本体
２１ａ  縦板部
２１ｂ  上位横板部
２１ｃ  下位横板部
２２    貫通孔
２３    長孔
２５    ターンバックル
２６    回転操作体
２７Ａ  上位螺子体
２７Ｂ  下位螺子体
３０    吊り部材
３１    長孔
３２    貫通孔
３６    吊り部材
４０    根太材
４１    床板
４１ａ  下面
４２    出し入れ口
５０    吊り部材
５１    上位の吊り体
５２    長孔
５３    貫通孔
５５    下位の吊り体
５６    貫通孔
５７    貫通孔
６０    ビーム受け材
６２    受け具
６３    ビーム受け材
６５    吊り手段
６８    吊りワイヤー
７０    大引ビーム
７１    大引ビーム
７２    大引ビーム
７３    大引ビーム
７４    大引ビーム
Ｓ    収納スペース（空間）
【図１】
0003900001.tif 000002
【図２】
0003900001.tif 000003
【図３】
0003900001.tif 000004
【図４】
0003900001.tif 000005
【図５】
0003900001.tif 000006
【図６】
0003900001.tif 000007
【図７】
0003900001.tif 000008
【図８】
0003900001.tif 000009
【図９】
0003900001.tif 000010
【図１０】
0003900001.tif 000011
【図１１】
0003900001.tif 000012